(57)【特許請求の範囲】
【請求項１】
巻取部において所定長さの巻芯を複数一軸に連ねて保持し、該巻芯を回転させて、この巻芯に所定幅の長尺ウェブを巻き取るウェブ巻取装置において、
巻芯材料を前記所定長さに切断して巻芯とする巻芯切断手段と、
この巻芯切断手段と前記巻取部とを直結し、巻芯切断手段によって形成された巻芯を１個ずつ分離独立した状態で巻取部まで搬送する搬送手段とを備えたことを特徴とするウェブ巻取装置。
【請求項２】
前記巻芯として紙管からなるものを用いることを特徴とする請求項１記載のウェブ巻取装置。
【請求項３】
広幅の原反を所定幅ずつ複数条に裁断して、裁断された各長尺ウェブを一軸に連ねた複数の巻芯の各々に巻き取るように構成されたことを特徴とする請求項１または２記載のウェブ巻取装置。
【請求項４】
前記巻取部に装填される巻芯数をＮとしたとき、前記搬送手段が、同時に（３〜４）Ｎ以下の数の巻芯しか積載しない長さに形成されたことを特徴とする請求項１から３いずれか１項記載のウェブ巻取装置。
【請求項５】
前記長尺ウェブとして写真用感光材料を巻き取るものであることを特徴とする請求項１から４いずれか１項記載のウェブ巻取装置。
【発明の詳細な説明】
【０００１】
【発明の属する技術分野】
本発明は、紙管等からなる巻芯に長尺ウェブを巻き取るウェブ巻取装置に関し、特に詳細には、巻芯の長さが温湿度の影響で変動してしまうことを防止するようにしたウェブ巻取装置に関するものである。
【０００２】
【従来の技術】
従来より、例えば写真用感光材料の製造工程等においては、巻取部において所定長さの巻芯を回転させて、該巻芯に所定幅の長尺ウェブを巻き取る装置が広く利用されている。このような巻取装置の１つとして、広幅の原反を所定幅ずつ複数条に裁断して、裁断された各長尺ウェブを一軸に連ねた複数の巻芯の各々に巻き取るように構成されたものも公知となっている。
【０００３】
図４の（ａ）は、このような一軸型の巻取装置により長尺ウェブを巻き取った状態を示している。図中、１ａ〜ｅが巻芯であり、２ａ〜ｅが巻き取られた長尺ウェブである。
【０００４】
【発明が解決しようとする課題】
この種の一軸型の巻取装置においては、一般にウェブの幅と同じか、それよりもやや長い巻芯が使用されるが、この巻芯の長さ（ウェブの幅方向の寸法）を正確に所定長さにしておくことが非常に重要となる。
【０００５】
すなわち、例えば巻芯の長さが所定値よりも長くなっていると、図４の（ｂ）に示すようにいくつかの巻芯に対してウェブがずれた状態で巻き取られ、製品の外観品質が大きく損なわれてしまう。また、多くの場合、巻取装置には巻芯を巻取回転軸にチャックする手段が設けられるが、巻芯の長さが不正確であると、巻芯チャックが不良になる等の設備故障を招くこともある。
【０００６】
以上のような問題は、巻芯の長さが所定値より短い場合にも同様に起こり得るものである。また、裁断された各長尺ウェブを一軸に連ねた複数の巻芯の各々に巻き取る場合に限らず、裁断された各長尺ウェブを互いに軸を外して配置した複数の巻芯の各々に巻き取る場合や、さらには１つの長尺ウェブを１つの巻芯に巻き取る場合にも、同様の問題が生じることがある。
【０００７】
なお、上記のような巻芯として紙管が用いられることも多いが、その場合は上記の問題が特に起こりやすくなっている。つまり、紙管を正確な長さに切断して巻芯を製作したとしても、この紙管製の巻芯は温湿度の変化によって長さが変化しやすいので、ウェブ巻取りに使用する際には長さが所定値から大きく外れていることが多いのである。
【０００８】
また、長尺ウェブが例えば印画紙等の写真用感光材料である場合、例えばその側端部が巻芯端部よりも外側に出たような状態で巻き取られていると、運搬や使用の際に、巻芯に近い部分で感光材料側端部が折れやすくなる。そのようにして側端部が折れてしまった写真用感光材料は一般に使いものにならないので、写真用感光材料の場合は、巻芯に対して幅方向にずれた状態で巻き取ると、少なからぬ経済的損失を招くことになる。
【０００９】
そこで従来より、紙管製の巻芯を用いる場合は、ウェブ巻取工場に搬入された巻芯を調湿して、適正寸法にしてから使用するという対策が取られて来た。しかしそのようにする場合は、工場内に巻芯を貯蔵する広大な調湿ゾーンを設けたり、工場内の温湿度を厳密に管理する必要が生じ、それがウェブ巻取製品のコスト増を招いていた。
【００１０】
また、ウェブ巻取工場に搬入される巻芯を厳重に防湿梱包しておいて、巻芯の寸法変化を抑えることも考えられているが、その場合は梱包費用がかさんで巻芯コストが高くついたり、解梱作業負荷が増えて生産効率が低下する、といった問題が認められる。
【００１１】
本発明は上記の事情に鑑みてなされたものであり、紙管等からなる巻芯が温湿度の影響で変動してしまうことを防止できるウェブ巻取装置を提供することを目的とするものである。
【００１２】
【課題を解決するための手段】
本発明による第１のウェブ巻取装置は、請求項１に記載の通り、
巻取部において所定長さの巻芯を複数一軸に連ねて保持し、該巻芯を回転させて、この巻芯に所定幅の長尺ウェブを巻き取るウェブ巻取装置において、
巻芯材料を上記所定長さに切断して巻芯とする巻芯切断手段と、
この巻芯切断手段と巻取部とを直結し、該巻芯切断手段によって形成された巻芯を１個ずつ分離独立した状態で巻取部まで搬送する搬送手段とを備えたことを特徴とするものである。
【００１３】
なお上記の「直結」とは、途中で一旦巻芯を貯蔵ゾーン等に送ることなく、巻芯切断手段と巻取部とを直接的に連絡することを意味する。
【００１４】
本発明による第２のウェブ巻取装置は、請求項２に記載の通り、上記第１のウェブ巻取装置において、巻芯として紙管からなるものを用いることを特徴とするものである。
【００１５】
本発明による第３のウェブ巻取装置は、請求項３に記載の通り、上記第１または２のウェブ巻取装置において、広幅の原反を所定幅ずつ複数条に裁断して、裁断された各長尺ウェブを一軸に連ねた複数の巻芯の各々に巻き取るように構成されたことを特徴とするものである。
【００１６】
本発明による第４のウェブ巻取装置は、請求項４に記載の通り、上記第１、２または３のウェブ巻取装置において、巻取部に装填される巻芯数をＮとしたとき、上記搬送手段が、同時に（３〜４）Ｎ以下の数の巻芯しか積載しない長さに形成されたことを特徴とするものである。
【００１７】
本発明による第５のウェブ巻取装置は、請求項５に記載の通り、上記第１、２、３または４のウェブ巻取装置において、長尺ウェブとして写真用感光材料を巻き取るものであることを特徴とするものである。
【００１８】
【発明の効果】
本発明のウェブ巻取装置においては、巻芯切断手段と巻取部とを直結する搬送手段を設けて、巻芯切断手段で所定長さに切断された巻芯を途中で貯蔵することなく巻取部まで搬送するようにしたので、巻芯切断手段で切断された巻芯が温湿度の影響で大きく寸法変化する前にこの巻芯を巻取部に送って使用できるようになる。したがって本発明によれば、巻芯の長さが不正確であることによるウェブ巻取製品の外観品質の低下や、巻芯チャックが不良になる等の設備故障を防止できるようになる。
【００１９】
さらに、本発明のウェブ巻取装置においては、巻芯の長さを常に正確に維持できるので、ウェブ巻取りが正常になされるようにするための調整作業も不要、あるいは極めて容易となる。
【００２０】
そして本発明のウェブ巻取装置においては、巻芯を貯蔵する広大な調湿ゾーンを設けたり、巻芯を厳重に防湿梱包する等の対策は不要であるから、巻芯の寸法変化に対処するためにウェブ巻取製品のコストが著しく増大するようなことも回避できる。
【００２１】
なお、本発明による第２のウェブ巻取装置は、比較的温湿度の影響を受けやすい紙管からなる巻芯を用いるものであるから、上述のようにして巻芯が温湿度の影響を大きく受けないようにすれば、特に改善効果が大となる。
【００２２】
また、本発明による第３のウェブ巻取装置は、先に述べた一軸型の巻取装置であって、巻芯の長さが不正確であることによるウェブ巻取製品の外観品質の低下や、巻芯チャックが不良になる等の設備故障を招きやすいものであるから、上述のようにして巻芯の寸法変化を防止できれば、特に改善効果が大となる。
【００２３】
また、本発明による第４のウェブ巻取装置は、搬送手段が同時に（３〜４）Ｎ以下の数の巻芯しか積載しないように十分短く形成されているので、巻芯が温湿度の影響で寸法変化することを、さらに確実に防止可能となる。
【００２４】
なお、巻芯が受ける温湿度の影響を抑える上では、搬送手段は短ければ短いほど好ましい。しかし、巻芯搬送手段の経路は、例えば作業者の通行スペースを確保するために作業者の頭上位置に設定する等の必要があり、そのような点からある程度の長さが求められるので、本発明による第４のウェブ巻取装置では、搬送手段の長さを、最大で（３〜４）Ｎの数の巻芯を積載し得る長さまで許容しているものである。
【００２５】
一方、前述した通り、長尺ウェブが写真用感光材料である場合は、それを巻芯に対して幅方向にずれた状態で巻き取ると、少なからぬ経済的損失を招くことになる。本発明による第５のウェブ巻取装置は、長尺ウェブとして写真用感光材料を巻き取るものであるが、巻芯の寸法変化を防止できることから、写真用感光材料が巻芯に対して幅方向にずれることをなくし、よって上述のような経済的損失を回避できるものとなる。
【００２６】
【発明の実施の形態】
以下、図面を参照して本発明の実施の形態について説明する。図１は、本発明の第１の実施の形態であるウェブ巻取装置を示すものであり、図２はこのウェブ巻取装置の裁断機３０の近傍部分を拡大して示すものである。
【００２７】
図１に示されるようにこのウェブ巻取装置は、広幅のウェブである写真用印画紙原反１０が巻回されてなる原反ロール１０Ｒを保持し、ロール保持軸を回転させて印画紙原反１０を送り出す送り出し機２０と、送り出された印画紙原反１０を所定幅ずつ複数条に裁断する裁断機３０と、この裁断によって得られた狭幅の印画紙１０ａ（長尺ウェブ）をそれぞれ巻芯４１に巻き取る巻取部４０と、巻芯材料を所定長さに切断して巻芯４１を形成する巻芯切断機５０と、この巻芯切断機５０によって形成された巻芯４１を巻取部４０まで搬送する搬送手段６０とを備えている。
【００２８】
上記送り出し機２０は、架台２１と、この架台２１に軸２２を中心として回転可能に取り付けられて両端部に１つずつ原反ロール１０Ｒを保持するロール保持部２３とを有している。そして、１つの原反ロール１０Ｒが使い切られるとロール保持部２３が回転されて別の原反ロール１０Ｒが送り出し位置に配され、この別の原反ロール１０Ｒから印画紙原反１０が送り出されている間に、新しい１つの原反ロール１０Ｒがロール保持部２３にセットされる。
【００２９】
裁断機３０は、図２にも示されている通り、印画紙原反１０を挟み付ける上刃アセンブリ３１および下刃アセンブリ３２から構成されている。上刃アセンブリ３１は、複数枚（図示の例では９枚）の上刃３１ａが互いに所定間隔をおいて刃物ホルダ（図示せず）に保持されてなるものであり、下刃アセンブリ３２も基本的に同様の構成を有する。上記複数枚の上刃３１ａは、印画紙原反１０の裁断数および狭幅印画紙１０ａの裁断幅に応じて枚数および配置間隔が定められて刃物ホルダにセットされ、そして、このようにセットされた各上刃３１ａと摺動するように下刃アセンブリ３２の各下刃がセットされる。
【００３０】
上刃アセンブリ３１および下刃アセンブリ３２は、それぞれ図２の矢印Ａ、Ｂ方向に回転され、それらの間を印画紙原反１０が矢印Ｃ方向に送られると、この印画紙原反１０が複数条（図示の例では８条）の狭幅印画紙１０ａに裁断される。
【００３１】
上記上刃アセンブリ３１および下刃アセンブリ３２の前後には、印画紙原反１０を押さえて該印画紙原反１０を張架させるパスロール３３と、エキスパンダーロール３４がそれぞれ配設されている。
【００３２】
エキスパンダーロール３４は図３に示すように、主軸３４ａに複数のボス３４ｂを固定し、各ボス３４ｂにはベアリング３４ｃを介してカラー３４ｄを相対回転可能に取り付け、複数のカラー３４ｄの外側に外筒ゴム３４ｅを被着してなるものである。そして複数のボス３４ｂのうち主軸３４ａの中央位置にあるものは、主軸３４ａに対して同軸に固定されているが、それ以外のボス３４ｂは主軸３４ａに対してボス軸が傾く状態にして固定されている。またそれらのボス軸の傾きは、主軸３４ａの左右側外方にあるボス３４ｂほど、より大きくなるように設定されている。
【００３３】
印画紙原反１０を裁断して得られた複数条の狭幅印画紙１０ａは、上記エキスパンダーロール３４の周囲の一部に掛けられた状態で巻取部４０側に送られるが、ボス３４ｂが上述のように主軸３４ａに対して傾き、ひいてはカラー３４ｄが傾いていることにより、互いの間に隙間ができるように外側に展開する。
【００３４】
このように展開した複数条の狭幅印画紙１０ａは、次に巻取部４０に送られ、そこで各々巻芯４１に巻き取られる。巻取部４０は図２に示されるように、それぞれ矢印Ｄ、Ｅ方向に回転される駆動ドラム４２、４３と、矢印Ｆ方向に回転される巻取回転軸４４とから構成されている。巻取回転軸４４には複数（図示の例では８個）の巻芯４１が軸方向に連ねて嵌挿され、これらの巻芯４１の各々には、巻取動作に先立って狭幅印画紙１０ａの先端部分が固定される。
【００３５】
次いで巻取回転軸４４が回転されると、８条の狭幅印画紙１０ａがそれぞれ巻芯４１に巻き取られる。なおこのとき、巻き取られた狭幅印画紙１０ａは駆動ドラム４２、４３の上に載荷され、これらの回転する駆動ドラム４２、４３からも巻取力を受けて回転する。
【００３６】
長尺ウェブ状の８条の狭幅印画紙１０ａがほぼ全長に亘ってそれぞれ巻芯４１に巻き取られると、駆動ドラム４２、４３および巻取回転軸４４の回転が停止される。そして、狭幅印画紙１０ａの巻取体１０Ｂは巻取回転軸４４から外され、図１の矢印Ｇ方向に送り出される。次にこれらの巻取体１０Ｂは、図示しない搬送手段により図１の矢印Ｈ、Ｊ方向に搬送されて、次の例えば包装工程等に送られる。
【００３７】
ここで、巻芯４１の作製および、巻取部４０への供給について説明する。巻取部４０の近くには、巻芯切断機５０が配置されている。この巻芯切断機５０には、巻芯材料である長い紙管４１Ａが１本ずつ供給され、所定位置に載置される。巻芯切断機５０は、この載置された長い紙管４１Ａの長手方向に移動し得る回転切断刃５１を有し、この回転切断刃５１により長い紙管４１Ａを所定長さずつに切断して巻芯４１を作製する。
【００３８】
上記巻芯切断機５０と巻取部４０とは、搬送手段６０によって直結されている。この搬送手段６０は一例として、上記所定位置に載置された長い紙管４１Ａの長さ方向に延びる水平搬送コンベア６１と、この水平搬送コンベア６１に対して直角な方向に延びる水平搬送コンベア６２と、巻芯４１を上方に搬送するバケットコンベア６３と、水平搬送コンベア６４とから構成されている。
【００３９】
巻芯切断機５０によって作製された巻芯４１は、例えばそのまま転がす等して水平搬送コンベア６１の上に載せられる。これらの巻芯４１は、水平搬送コンベア６１によって搬送された後水平搬送コンベア６２に移載され、この水平搬送コンベア６２によって搬送された後バケットコンベア６３に移載される。巻芯４１は、バケットコンベア６３により所定の高さ位置に搬送されたところでバケットコンベア６３から離され、水平搬送コンベア６４上に受けられる。水平搬送コンベア６４は巻芯４１を、巻取部４０の巻取回転軸４４に対して同軸状態で近接する位置まで搬送する。
【００４０】
ここまで搬送された巻芯４１は、図示しない送り手段によって巻取回転軸４４に次々と嵌挿される。所定数（この場合は８個）の巻芯４１が巻取回転軸４４に嵌挿されたところで、搬送手段６０による巻芯４１の搬送が停止され、そして嵌挿された巻芯４１は図示しないチャック手段によって巻取回転軸４４に固定される。
【００４１】
以上説明したウェブ巻取装置で使用している紙管からなる巻芯４１は、比較的温湿度の影響を受けて寸法が変化しやすいものである。また、このウェブ巻取装置は、複数の巻芯４１を１本の巻取回転軸４４上に連ねて保持して使用する一軸型の巻取装置であって、巻芯４１の長さが不正確であることによる印画紙巻取体１０Ｂの外観品質の低下や、巻芯チャックが不良になる等の設備故障を招きやすいものである。
【００４２】
しかし、このウェブ巻取装置においては、巻芯切断機５０と巻取部４０とを直結する搬送手段６０を設けて、巻芯切断機５０で所定長さに切断された巻芯４１を途中で貯蔵することなく巻取部４０まで搬送するようにしたので、巻芯４１が温湿度の影響で大きく寸法変化する前にこの巻芯４１を巻取部４０に送って使用できるようになる。したがってこのウェブ巻取装置によれば、巻芯４１の長さが不正確であることによる印画紙巻取体１０Ｂの外観品質の低下や、巻芯チャックが不良になる等の設備故障を防止できるようになる。
【００４３】
さらに、巻芯４１の長さを常に正確に維持できるので、狭幅印画紙１０ａの巻取りが正常になされるようにするための調整作業も不要、あるいは極めて容易となる。
【００４４】
なお巻芯４１が受ける温湿度の影響を最小限に抑えるためには、搬送手段６０は、巻取回転軸４４への装填数である８個の巻芯４１を積載し得るだけの極めて短いものとするのが望ましい。しかしこの実施の形態においては、先に述べたような理由から、搬送手段６０を、上記装填数の２倍強の１９個の巻芯４１を積載し得る長さとしている。
【図面の簡単な説明】
【図１】本発明の第１の実施の形態であるウェブ巻取装置を示す概略斜視図
【図２】図１のウェブ巻取装置の要部を拡大して示す斜視図
【図３】図１のウェブ巻取装置に用いられたエキスパンダーロールを示す平断面図
【図４】ウェブ巻取装置におけるウェブ巻取状態を説明する概略図
【符号の説明】
１０    写真用印画紙原反
１０ａ  狭幅印画紙
１０Ｂ  狭幅印画紙の巻取体
１０Ｒ  原反ロール
３０    裁断機
３１    上刃アセンブリ
３２    下刃アセンブリ
３３    パスロール
３４    エキスパンダーロール
４０    巻取部
４１    巻芯
４１Ａ  長い紙管（巻芯材料）
４２、４３    駆動ドラム
４４    巻取回転軸
５０    巻芯切断機
６０    搬送手段
６１、６２、６４    水平搬送コンベア
６３    バケットコンベア
【図１】
0003609170.tif 000002
【図２】
0003609170.tif 000003
【図３】
0003609170.tif 000004
【図４】
0003609170.tif 000005